【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
細胞を含有する体液からの細胞を分析するためのシステムであって、前記システムは、
ａ）  新たな物質を格納するためのフィーダと、
ｂ）  細胞を含有する体液を含む流体を分配するためのアプリケータとを備え、前記アプリケータは、アプリケータコントローラと、基板上に流体を分配するためのチップとを含み、前記チップは基板上の位置を有し、さらに、
ｃ）  基板上の細胞に固定剤および染色剤を分配するためのディスペンサを含む準備ステーションと、
ｄ）  画像ステーションとを備え、前記画像ステーションは、
ｉ）  基板上の細胞を照射するように構成された光源と、
ｉｉ）  細胞によって送られたまたは反射された第１の波長範囲の青い光に対応する基板上の細胞の少なくとも１つの画像、および細胞によって送られたまたは反射された第２の波長範囲の青くない光に対応する細胞の少なくとも１つの画像を取得するように配置された受光装置とを含み、さらに、
ｅ）  フィーダからアプリケータ、準備ステーション、および画像ステーションへと順にシステム中を基板を移動させるためのアドバンサと、
ｆ）  グラフィカルユーザインタフェース（ＧＵＩ）を含むディスプレイと、
ｇ）  マイクロプロセッサを含むコンピュータと、
ｈ） システムを制御するために記憶装置に格納されたソフトウェア指示とを備え、マイクロプロセッサがソフトウェア指示を実行すると、コンピュータは、システムに、
ｉ）  ある量の流体をアプリケータチップに充填させ、
ｉｉ）  アプリケータチップを基板上に位置決めさせ、
ｉｉｉ）  アプリケータチップから既知量の流体を分配させ、基板への流体の放出が行われている間、チップと基板との相対移動を維持して、既知量の流体全体を基板の規定された領域上の２本以上の列に堆積させ、基板上のアプリケータチップの高さ、アプリケータチップからの流体の流量、および相対移動の速度は、流体の細胞が基板上に約１つの細胞厚さである層に沈殿するように、かつ細胞の形態が十分に維持されて画像ベースの細胞分析が可能となるように選択され、
ｉｖ）  細胞を基板上に固定させかつ染色させ、
ｖ）  光源を制御させて基板上の細胞を照射させ、
ｖｉ）  受光装置を起動させて、細胞によって送られたまたは反射された第１の波長範囲の青い光に対応する細胞の少なくとも１つの画像、および細胞によって送られたまたは反射された第２の波長範囲の青くない光に対応する細胞の少なくとも１つの画像を取得させ、
ｖｉｉ）  細胞の画像を分析させて、試料についての全血球算定（ＣＢＣ）および白血球（ＷＢＣ）百分率を判定させ、
ｖｉｉｉ）  受光装置によって取得された細胞の画像、ＣＢＣの結果、およびＷＢＣ百分率の結果をディスプレイのＧＵＩに表示させ、ＧＵＩは、オペレータに画像と対話させ、ＣＢＣの結果およびＷＢＣ百分率の結果について確認させるように構成される、システム。
【請求項２】
ＧＵＩは、オペレータにＣＢＣの結果およびＷＢＣ百分率の結果を更新させるようにさらに構成される、請求項１に記載のシステム。
【請求項３】
ソフトウェアは、システムに、いずれかの特異なまたは異常な血液要素の画像を表示させる、請求項１に記載のシステム。
【請求項４】
ＧＵＩに表示された細胞の画像は網状赤血球の画像を含み、ＣＢＣの結果は網状赤血球数を含む、請求項１に記載のシステム。
【請求項５】
流体は、希釈されていない血液である、請求項１に記載のシステム。
【請求項６】
２本以上の列は、細胞の連続した単層を基板の一部分上に形成する、請求項１に記載のシステム。
【請求項７】
ソフトウェアは、システムに、
ａ）  アプリケータチップを基板の上約２〜１００ミクロンに位置決めさせ、
ｂ）  毎秒約０．０１〜１．０マイクロリットルの速度でアプリケータチップから流体を分配させ、
ｃ）  チップと基板との毎秒約１０〜１００ミリメートルの相対移動の速度を維持させる、請求項１に記載のシステム。
【請求項８】
ソフトウェアは、システムに、
ａ）  光源に光を生成するように命令させ、第１のフィルタを用いて、生成された光をフィルタリングさせて、第１の波長に対応する第１の照射光を発生させ、
ｂ）  基板を第１の照射光で照射させ、青い光に対応する細胞の少なくとも１つの画像を取得させ、
ｃ）  光源に追加的な光を生成するように命令させ、第２のフィルタを用いて、追加的な光をフィルタリングさせて、第２の波長に対応する第２の照射光を発生させ、
ｄ）  基板を第２の照射光で照射させ、青くない光に対応する細胞の少なくとも１つの画像を取得させる、請求項１に記載のシステム。
【請求項９】
光源は複数の発光ダイオード（ＬＥＤ）を含み、ソフトウェアは、システムに、
ａ）  光源の第１のＬＥＤを起動させて、第１の波長の第１の照射光を生成させ、
ｂ）  基板を第１の照射光で照射させ、受光装置を用いて、青い光に対応する細胞の少なくとも１つの画像を取得させ、
ｃ）  光源の第２のＬＥＤを起動させて、第２の波長の第２の照射光を生成させ、
ｄ）  基板を第２の照射光で照射させ、受光装置を用いて、青くない光に対応する細胞の少なくとも１つの画像を取得させる、請求項１に記載のシステム。
【請求項１０】
ソフトウェアはさらに、システムに、
ａ）  光源の第３のＬＥＤを起動させて、第３の波長に対応する第３の照射光を生成させ、
ｂ）  基板を第３の照射光で照射させ、第３の照射光に対応する細胞の少なくとも１つの画像を取得させる、請求項９に記載のシステム。
【請求項１１】
ソフトウェアは、システムに、
ａ）  鮮鋭化するかまたは空間変位もしくは他の変形を補正することによって、画像を精密化させ、
ｂ）  細胞の２つ以上の画像を組合せて多色画像を生成させ、組合わされた画像は、第１の波長の第１の照射光に対応する少なくとも１つの画像と、第２の波長の第２の照射光に対応する少なくとも１つの画像とを含む、請求項９に記載のシステム。
【請求項１２】
受光装置はＣＣＤカメラであり、ＣＣＤカメラは黒白画像を取得する、請求項１に記載のシステム。
【請求項１３】
体液からの細胞を分析するためのプロセスであって、前記プロセスは、
ａ）  ある量の流体をアプリケータチップに充填することと、
ｂ）  アプリケータチップを基板上のある高さに位置決めすることとを備え、前記ある高さはスライドの表面に垂直な方向に沿って測定され、さらに、
ｃ）  アプリケータチップから細胞を含む既知量の流体を分配させ、スライドへの流体の放出が行われている間、チップとスライドとの相対移動を維持して、既知量の流体全体を基板の規定された領域上の２本以上の列に堆積することを備え、基板上のアプリケータチップの高さ、アプリケータチップからの流体の流量、および相対移動の速度は、流体の細胞がスライド上に約１つの細胞厚さである層に沈殿するように、かつ細胞の形態が十分に維持されて画像ベースの細胞分析が可能となるように選択され、さらに、
ｄ）  細胞をスライド上に固定させかつ染色させることと、
ｅ）  スライド上の細胞を光源で照射することと、
ｆ）  細胞によって送られたまたは反射された第１の波長範囲の青い光に対応する細胞の少なくとも１つの画像、および細胞によって送られたまたは反射された第２の波長範囲の青くない光に対応する細胞の少なくとも１つの画像を取得することと、
ｇ）  細胞の画像を分析して、試料についての全血球算定（ＣＢＣ）および白血球（ＷＢＣ）百分率を判定することと、
ｈ）  細胞の画像、ＣＢＣの結果、およびＷＢＣ百分率の結果をディスプレイのグラフィカルユーザインタフェース（ＧＵＩ）に表示させることとを備え、ＧＵＩは、オペレータに画像と対話させ、ＣＢＣの結果およびＷＢＣ百分率の結果について確認させるように構成される、プロセス。
【請求項１４】
２本以上の細胞の列は、細胞の、間隙がない連続した単層をスライドの一部分上に形成する、請求項１３に記載のプロセス。
【請求項１５】
前記高さは基板の上約２〜１００ミクロンであり、
流体は毎秒約０．０１〜１．０マイクロリットルの速度でアプリケータチップから分配され、
チップは毎秒約１０〜１００ミリメートルの速度で基板に対して平行移動される、請求項１３に記載のプロセス。
【請求項１６】
基板上の細胞を光源で照射することは、
ａ）  光源を用いて、基板上の細胞を照射するための照射光を生成することと、
ｂ）  照射光を第１の光フィルタに当てて、第１の波長に対応する青いフィルタリングされた光を発生させることと、
ｃ）  第１の波長に対応する青いフィルタリングされた光で細胞を照射することと、
ｄ）  照射光を第２の光フィルタに当てて、第２の波長に対応する青くないフィルタリングされた光を発生させることと、
ｅ）  第２の波長に対応する青くないフィルタリングされた光で細胞を照射することとを含む、請求項１３に記載のプロセス。
【請求項１７】
スライド上の細胞を光源で照射することは、
ａ）  第１のＬＥＤを用いて第１の波長の青い光を発生させることと、
ｂ）  第１の波長の青い光で細胞を照射することと、
ｃ）  第２のＬＥＤを用いて第２の波長の青くない光を発生させることと、
ｄ）  第２の波長の青くない光で細胞を照射することとを含む、請求項１３に記載のプロセス。
【請求項１８】
第３のＬＥＤを用いて第３の波長の光を発生させることと、
第１および第２の複数の細胞を第３の波長の光で照射し、第３の波長の細胞の少なくとも１つの画像を取得することとをさらに備える、請求項１７に記載のプロセス。
【請求項１９】
第１および第２の波長の各々の細胞の少なくとも１つの画像から網状赤血球数を判定することをさらに備える、請求項１８に記載のプロセス。
【請求項２０】
第１および第２の波長の各々の細胞の少なくとも１つの画像から、１つ以上の赤血球数および血小板数を判定することをさらに備える、請求項１８に記載のプロセス。